(57)【要約】【課題】  キャビネット搭載状態のコンピュータ装置内に水平に搭載された活線挿抜可能なＩ／Ｏカードを、コンピュータ装置側面カバー及び側面カバーに固定されているスライドレールに干渉されることなく挿抜できる機構を提供する。【解決手段】  コンピュータ装置１４の上側面カバー１５をキャビネットフレーム１２に固定し、キャビネットフレーム１２に固定したスライドレール１３に上側面カバーを開放したコンピュータ装置１４を乗せることで、コンピュータ装置１４をスライドレール１３の上を滑らせて引き出すと同時にコンピュータ装置１４の上側面カバーを開放させる。【選択図】  図１
2006113623.tif 000002
【特許請求の範囲】
【請求項１】
I/Oカードを装着するライザボードを上面に搭載する主基板と、
前記主基板の上面を上側として収納する筐体であって、
キャビネット又は前記キャビネット上の第一のスライドレールに固定される側面カバーとモールドを介して嵌合することを特徴とする装置カバー開放機構を有するコンピュータ装置。
【発明の詳細な説明】
【技術分野】
【０００１】
本発明は、コンピュータ装置のカバー解放機構を有したコンピュータ装置筐体に関するものである。
【背景技術】
【０００２】
特開平１１−３２７６９２号公報記載の構成に示すように、従来のコンピュータ装置では、拡張カードを主基板上に挿抜する構成を有していた。例えば、キャビネット搭載型サーバシステムの場合、コンピュータ装置のカバーの解放機構は以下のようになる。まず、キャビネットフレームに取り付けたスライドレールと、コンピュータ装置に取り付けたスライドレールをスライドさせることで、コンピュータ装置を引き出す。次に、コンピュータ装置から、コンピュータ装置上面カバーを取り外すことで、コンピュータ装置の内部に搭載した各種装置の挿抜作業を行う。
【０００３】
一方、コンピュータ装置に十分な高さが無い場合や、コンピュータ装置の内部構造上十分な高さを確保できない場合には、Ｉ／Ｏカードをコンピュータ装置に対し垂直に搭載できない。従って、ライザカードにＩ／Ｏカードを水平方向に搭載してから、ライザカードごとコンピュータ装置に搭載する構成をとるしかない。具体的には、コンピュータ装置内のＩ／Ｏカードを取り外すためには、コンピュータ装置をキャビネット装置(図示せず)から引き出し、コンピュータ装置上面カバー(図示せず)を取り外し、ライザカードをコンピュータ装置から取り出し、ライザカードからＩ／Ｏカードを取り出す構成となる。
【０００４】
【特許文献１】特開平１１−３２７６９２号公報
【発明の開示】
【発明が解決しようとする課題】
【０００５】
しかしながら、上記機構では、スライドレールとコンピュータ装置の側面カバーが障害となり、Ｉ／Ｏカードを挿抜する場合は、ライザカードごと全てのＩ／Ｏカードを取り外してから、挿抜する必要がある。従って、１つのＩ／Ｏカードに活線挿抜機構があっても、それだけを取り出すことができず、活線挿抜機構を利用できず、挿抜作業時は、コンピュータ装置の動作を必ず停止しなければならない。また、活線挿抜機構の有無を問わず、挿抜作業時には、コンピュータ装置上面カバーを取り外し、ライザカードを取り出してからＩ／Ｏカードを挿抜しなければならず、作業性が高いとは言えない。
【０００６】
本発明は、このような問題に鑑みてなされたものであり、Ｉ／Ｏカードの挿抜を行う際に活線挿抜の場合において、また活栓挿抜ではない場合においても、作業の容易性・安全性を高めることを可能にすることを目的とする。
【課題を解決するための手段】
【０００７】
キャビネットからコンピュータ装置を引き出すと同時に、コンピュータ装置の少なくとも横面を解放する機構を有する。
【発明の効果】
【０００８】
コンピュータ装置横面からのコンピュータ装置内の装置の挿抜作業を可能する。
【発明を実施するための最良の形態】
【０００９】
まず、コンピュータ装置のキャビネット搭載状態における装置カバー解放機構の一実施の形態について、図１乃至図３を参照して説明する。
【００１０】
図１においてスライドレール３０２と、コンピュータ装置上側面カバー３０４はキャビネットフレーム３０１にネジ等(図示せず)で固定している。３０３はコンピュータ装置下前後面カバーを含む、コンピュータ装置であり、スライドレール３０２に乗っている。図中示されていないが、コンピュータ装置３０３内部には、中央処理装置が搭載された主基板が底面に収納されている。主基板には、ライザカード３０６が、これも図示しないコネクタを介して設置されている。コンピュータ装置３０３はスライドレール３０２の上を滑らせて引き出した状態である。Ｉ／Ｏカード３０５はライザカード３０６に水平に搭載し、ライザカード３０６と共にコンピュータ装置３０３に搭載した状態である。Ｉ／Ｏカード３０５はコンピュータ装置３０３に直接触れることなく、ライザカード３０６を介してコンピュータ装置３０３に接続している。
【００１１】
図２において、キャビネットフレームは図示せず、コンピュータ装置３０３をスライドレール３０２の上を滑らせて、引き出した状態であり、Ｉ／Ｏカード３０５はライザカード３０６から水平方向に取り出した状態である。図３において、キャビネットフレームは図示せず、図２の状態を正面から示したものであり、スライドレール用モールド３０８は、スライドレール３０２またはコンピュータ装置上側面カバー３０４にネジ等(図示せず)で固定している。コンピュータ装置３０３においては前後面カバーを図示していない。図１乃至図３に示す部位で同一のものは同一の番号で示すものとする。
【００１２】
図１において、スライドレール３０２はキャビネットフレーム３０１にネジ等(図示せず)で固定されていること、コンピュータ装置のカバーがコンピュータ装置上側面カバー３０４の形状の通り、上面と側面が一体化またはネジ等(図示せず)で固定されており、キャビネットフレーム３０１またはスライドレール３０２に固定されていること、コンピュータ装置３０３がスライドレール３０２に乗っていること、スライドレール３０２とコンピュータ装置３０３はラッチまたはネジ等(図示せず)で接続されている。
【００１３】
コンピュータ装置３０３内のＩ／Ｏカード３０５を取り出すためには、スライドレール３０２とコンピュータ装置本体３０３のラッチまたはネジなどのロック機構(図示せず)を解除し、コンピュータ装置３０３をスライドレール３０２の上を滑らせ引き出す。コンピュータ装置３０３はスライドレール３０２から落下しない様、スライドレール３０２とコンピュータ装置３０３に設置する既存技術の落下防止ロック機構(図示せず)により停止する。コンピュータ装置上側面カバー３０４はキャビネットフレーム３０１またはスライドレール３０２に固定されているため、コンピュータ装置３０３を引き出すことで、コンピュータ装置３０３の上面と側面カバーを同時に開放する。これにより、コンピュータ装置３０３の内蔵装置への水平方向からのアクセスを可能とし、コンピュータ装置３０３を停止することなく、コンピュータ装置３０３内の活線挿抜機構を有したＩ／Ｏカード３０５だけを挿抜することを可能とする。
【００１４】
また、活線挿抜機構を有しないＩ／Ｏカード３０５の場合では、その挿抜にあたり、コンピュータ装置３０３を停止する必要はあるものの、容易な作業性を提供する。また、コンピュータ装置３０３に搭載される、中央演算装置、主記憶装置、回転式補助記憶装置、送風扇装置などの、各種交換可能な内蔵装置の挿抜作業にも高い容易性を提供する。図２においてコンピュータ装置３０３をスライドレール３０２の上をスライドさせて、キャビネット装置へ戻した場合、コンピュータ装置３０３とコンピュータ装置上側面カバー３０４の間に生じる隙間は、隙間を埋めるモールド３０７により、コンピュータ装置３０３とコンピュータ装置上側面カバー３０４を密着させることで埋め、粉塵等の進入を防ぐ。この隙間を埋めるモールド３０７の材質や形状は既存技術による。
【００１５】
図３においてコンピュータ装置３０３をスライドレール３０２の上をスライドさせて引き出しまたは戻す際に、コンピュータ装置３０３とコンピュータ装置上側面カバー３０４との間に生じる摩擦が問題となるが、スライドレール用モールド３０８をコンピュータ装置３０３とコンピュータ装置上側面カバー３０４の間に設置することで解消する。スライドレール用モールド３０８はスライドレール３０２かコンピュータ装置上側面カバー３０４にネジ等(図示せず)で固定するものであり、低摩擦係数を持つ材質である。
【００１６】
このように、ライザカードに搭載された１つのＩ／Ｏカードだけを活線挿抜することができる。また、キャビネットからコンピュータ装置を引き出すと同時に上面及び側面カバーを解放することで、従来必要であった、引き出し後のカバー解放作業が不要となり、活線挿抜でない場合においても、その作業に高い容易性を得ることができる。
【００１７】
なお、本実施の形態では、上面カバーが側面カバーに結合した状態でスライドレール３０２に固定されている構造である。しかしながら、側面カバーのみで対応できる場合は、上面カバーは、コンピュータ装置３０３の筐体の一部として形成し、側面のみ開放する構成としてもよい。
【００１８】
次に、他の実施の形態について図４、図５を参照して説明する。
【００１９】
図４においてスライドレール６０１と、コンピュータ装置側面カバー６０３はキャビネットフレーム(図示せず)にネジなどで固定している。６０２はコンピュータ装置上下前後面カバーを含む、コンピュータ装置であり、スライドレール６０１に乗っている。コンピュータ装置６０２をスライドレール６０１の上を滑らせて、引き出した状態であり、キャビネットフレームは図示せず、スライドレール６０１、コンピュータ装置６０２、コンピュータ装置側面カバー６０３の関係を示したものである。Ｉ／Ｏカード６０４はライザカード(図示せず)に水平方向に挿入されており、ライザカード(図示せず)をコンピュータ装置６０２に搭載する。Ｉ／Ｏカード６０４はコンピュータ装置６０２に直接触れることなく、ライザカード(図示せず)を介して、コンピュータ装置６０２に接続されている。
【００２０】
図５において、キャビネットフレームは図示せず、図４の状態を正面から示したものであり、スライドレール用モールド６０７は、スライドレール６０１またはコンピュータ装置側面カバー６０３にネジ等(図示せず)で固定している。コンピュータ装置６０２においては前後面カバーを図示しておらず、コンピュータ装置の底面と上面カバーを含む本体部のみを図示している。図４、図５に示す部位で同一のものは同一の番号で示す。本発明においては、図４においてスライドレール６０１はキャビネットフレーム(図示せず)にネジ等(図示せず)で固定されていること、コンピュータ装置のカバーがコンピュータ装置側面カバー６０３の形状の通りであり、キャビネットフレーム(図示せず)またはスライドレール６０１に固定されていること、コンピュータ装置６０２がスライドレール６０１に乗っていること、スライドレール６０１とコンピュータ装置６０２はラッチまたはネジ等(図示せず)で接続されている。
【００２１】
コンピュータ装置６０２内のＩ／Ｏカード６０４を取り出すために、スライドレール６０１とコンピュータ装置本体６０２のラッチまたはネジなどのロック機構(図示せず)を解除し、コンピュータ装置本体６０２をスライドレール６０１の上を滑らせ、引き出す。コンピュータ装置６０２はスライドレール６０１から落下しない様、スライドレール６０１とコンピュータ装置本体６０２に設置する既存技術の落下防止ロック機構(図示せず)により停止する。コンピュータ装置側面カバー６０３はキャビネットフレーム(図示せず)またはスライドレール６０１に固定されているため、コンピュータ装置６０２を引き出すことで、コンピュータ装置６０２の側面カバーを開放する。
【００２２】
これにより、コンピュータ装置６０２の内蔵装置への水平方向からのみのアクセスを可能とし、コンピュータ装置６０２を停止することなく、コンピュータ装置６０２内の活線挿抜機構を有したＩ／Ｏカード６０４だけを挿抜することを可能とする。また、活線挿抜機構を有しないＩ／Ｏカードの場合では、その挿抜にあたり、コンピュータ装置６０２を停止する必要はあるものの、容易な作業性を提供する。また、コンピュータ装置６０２に搭載される、中央演算装置、主記憶装置、回転式補助記憶装置、送風扇装置などの、各種交換可能な内蔵装置の挿抜作業にも比較的高い容易性を提供すると共に、コンピュータ装置６０２の横面だけを開放することで、コンピュータ装置内基盤部分への金属物(ネジ、ドライバ、クリップなど)(図示せず)の落下を防ぐことを可能とし、挿抜作業に高い全性を提供する。コンピュータ装置６０２をスライドレール６０１の上をスライドさせて、キャビネット装置へ戻した場合、コンピュータ装置６０２とコンピュータ装置側面カバー６０３の間に生じる隙間は、隙間を埋めるモールド６０５により、コンピュータ装置６０２とコンピュータ装置側面カバー６０３を密着させることで埋め粉塵等の進入を防ぐ。この隙間を埋めるモールド６０５の材質や形状は既存技術による。
【００２３】
図５においてコンピュータ装置６０２をスライドレール６０１の上をスライドさせて引き出しまたは戻す際に、コンピュータ装置６０２とコンピュータ装置側面カバー６０３との間に生じる摩擦が問題となるが、スライドレール用モールド６０７をコンピュータ装置６０２とコンピュータ装置上側面カバー６０７の間に設置することで解消する。スライドレール用モールド６０７はスライドレール６０１かコンピュータ装置側面カバー６０３にネジ等(図示せず)で固定するものであり、低摩擦係数を持つ材質である。
【図面の簡単な説明】
【００２４】
【図１】コンピュータ装置をキャビネットから引き出した状態の斜視図である。
【図２】コンピュータ装置とＩ／Ｏカードを取り出した状態の斜視図である。
【図３】スライドレール及びコンピュータ装置及びコンピュータ装置上側面カバーの左側部分の勘合を示す正面からの拡大図である。
【図４】コンピュータ装置をキャビネット搭載状態から引き出した状態の斜視図である。
【図５】スライドレール及びコンピュータ装置及びコンピュータ装置側面カバーの左側部分の勘合を示す正面からの拡大図である。
【符号の説明】
【００２５】
１  キャビネットフレーム、２  スライドレール、３  スライドレール、４  コンピュータ装置、５  コンピュータ装置上面カバー、６  Ｉ／Ｏカード、７  ライザカード、８  キャビネットフレーム、９  スライドレール、１０  コンピュータ装置、１１  コンピュータ装置上側面カバー、１２  Ｉ／Ｏカード、１３  ライザカード、１４  スライドレール、１５  コンピュータ装置、１６  コンピュータ装置側面カバー、１７  Ｉ／Ｏカード、６０１  スライドレール、６０２  コンピュータ装置、６０３  コンピュータ装置側面カバー、６０４  Ｉ／Ｏカード、６０６  ライザカード、６０７  スライド用モールド
【図１】
2006113623.tif 000003
【図２】
2006113623.tif 000004
【図３】
2006113623.tif 000005
【図４】
2006113623.tif 000006
【図５】
2006113623.tif 000007